(57)【要約】【課題】  光記録媒体のコート面の性状に基づいて適切な印刷ができるようにする。【解決手段】  光記録媒体（ＣＤ−Ｒ１８）における印刷する側のコート面に印刷する機能を備えた印刷装置１において、光記録媒体（ＣＤ−Ｒ１８）上に設けられ、コート面に適した印刷を実行するために必要なコート面情報を特定するコート面情報特定部を読み取るコート面情報特定部読み取り手段（光学センサ１９）と、コート面情報特定部の特性とコート面情報とを関連づけて記憶する記憶手段（コンピュータ３の内部に存在）と、読み取られたコート面情報特定部の特性と記憶手段（コンピュータ３の内部に存在）に記憶される情報とを照合して、印刷条件を決定する印刷条件決定手段（コンピュータ３の内部に存在）とを備える印刷装置１とする。【選択図】  図１
2005235329.tif 000002
【特許請求の範囲】
【請求項１】
印刷する側のコート面に適した印刷を実行するために必要なコート面情報を特定するコート面情報特定部を有する光記録媒体。
【請求項２】
光記録媒体を保持する中央のチャッキング領域に前記コート面情報特定部を有することを特徴とする請求項１記載の光記録媒体。
【請求項３】
前記コート面情報特定部は、１または２以上の枠の内部への着色によって、前記コート面情報を特定していることを特徴とする請求項１または２記載の光記録媒体。
【請求項４】
前記コート面情報特定部は、円の径の大きさ、あるいは径の異なる円の数若しくは位置によって、前記コート面情報を特定していることを特徴とする請求項１または２記載の光記録媒体。
【請求項５】
前記コート面情報特定部は、光記録媒体を保持する中央部の周りを囲う多角形の大きさ、あるいは大きさの異なる多角形の数若しくは位置によって、前記コート面情報を特定していることを特徴とする請求項１または２記載の光記録媒体。
【請求項６】
前記コート面情報特定部は、光記録媒体を保持する中央部の周りを囲う複数本の線の数若しくは位置によって、前記コート面情報を特定していることを特徴とする請求項１または２記載の光記録媒体。
【請求項７】
前記コート面情報は、光沢のあるコート面か否かを示す情報を含むことを特徴とする請求項１から６のいずれか１項記載の光記録媒体。
【請求項８】
前記コート面情報は、インクの打ち込み量を示す情報を含むことを特徴とする請求項１から６のいずれか１項記載の光記録媒体。
【請求項９】
光記録媒体における印刷する側のコート面に印刷する機能を備えた印刷装置において、
上記光記録媒体上に設けられ、上記コート面に適した印刷を実行するために必要なコート面情報を特定するコート面情報特定部を読み取るコート面情報特定部読み取り手段と、
上記コート面情報特定部の特性と上記コート面情報とを関連づけて記憶する記憶手段と、
読み取られた上記コート面情報特定部の特性と上記記憶手段に記憶される情報とを照合して、印刷条件を決定する印刷条件決定手段と、
を備えることを特徴とする印刷装置。
【請求項１０】
インクを含めた現状の印刷ツールによって、コート面に適した印刷の可否を判断する印刷可否判断手段と、
その印刷可否判断手段の判断に基づいて、メッセージを出力するメッセージ出力手段と、
をさらに備えることを特徴とする請求項９記載の印刷装置。
【請求項１１】
前記コート面情報特定部読み取り手段は、インクカートリッジを搭載して主走査方向に往復移動するキャリッジに取り付けられる光学センサであることを特徴とする請求項９または１０記載の印刷装置。
【請求項１２】
前記記憶手段は、前記光学センサが前記コート面情報特定部を読み取る位置と前記コート面情報とを関連づけて記憶しており、
前記印刷条件決定手段は、前記コート面情報特定部を読み取る位置に基づいて印刷条件を決定することを特徴とする請求項１１記載の印刷装置。
【請求項１３】
前記記憶手段は、前記光学センサが前記コート面情報特定部を読み取る複数の位置の距離と前記コート面情報とを関連づけて記憶しており、
前記印刷条件決定手段は、当該複数の位置の距離に基づいて印刷条件を決定することを特徴とする請求項１１記載の印刷装置。
【請求項１４】
前記記憶手段は、前記光学センサが前記コート面情報特定部を読み取る位置と複数の当該位置の距離との組み合わせと、前記コート面情報とを関連づけて記憶しており、
前記印刷条件決定手段は、当該組み合わせに基づいて印刷条件を決定することを特徴とする請求項１１記載の印刷装置。
【請求項１５】
光記録媒体における印刷する側のコート面に印刷する印刷方法において、
上記光記録媒体上に設けられ、上記コート面に適した印刷を実行するために必要なコート面情報を特定するコート面情報特定部を読み取るコート面情報特定部読み取りステップと、
読み取られた上記コート面情報特定部の特性と、上記コート面情報特定部の特性と上記コート面情報とを関連づけて記憶する記憶手段に記憶される情報とを照合して、印刷条件を決定する印刷条件決定ステップと、
を含むことを特徴とする印刷方法。
【請求項１６】
インクを含めた現状の印刷ツールによって、コート面に適した印刷の可否を判断する印刷可否判断ステップと、
その印刷可否判断ステップによる判断に基づいて、メッセージを出力するメッセージ出力ステップと、
をさらに含むことを特徴とする請求項１５記載の印刷方法。
【請求項１７】
光記録媒体における印刷する側のコート面に印刷する処理をコンピュータに実行させるコンピュータ読み取り可能な印刷用コンピュータプログラムにおいて、
コンピュータを、
上記光記録媒体上に設けられ、上記コート面に適した印刷を実行するために必要なコート面情報を特定するコート面情報特定部を読み取るコート面情報特定部読み取り手段、
読み取られた上記コート面情報特定部の特性と、上記コート面情報特定部の特性と上記コート面情報とを関連づけて記憶する記憶手段に記憶される情報とを照合して、印刷条件を決定する印刷条件決定手段、
として機能させることを特徴とするコンピュータ読み取り可能な印刷用コンピュータプログラム。
【請求項１８】
コンピュータを、
インクを含めた現状の印刷ツールによって、コート面に適した印刷の可否を判断する印刷可否判断手段、
その印刷可否判断手段の判断に基づいて、メッセージを出力するメッセージ出力手段、として機能させることを特徴とする請求項１７記載のコンピュータ読み取り可能な印刷用コンピュータプログラム。
【発明の詳細な説明】
【技術分野】
【０００１】
本発明は、光記録媒体、印刷装置、印刷方法ならびに印刷用コンピュータプログラムに関する。
【背景技術】
【０００２】
例えば、ＣＤ−Ｒ（Compact Disk-Recordable）またはＤＶＤ（Digital Versatile Disk）等の光記録媒体においては、情報を記録する側の面と反対側の面（コート面）に白色等の部材を塗布し、インクジェットプリンタ等の印刷装置によって任意の図形や文字を印刷可能なものがある（特許文献１参照）。
【０００３】
【特許文献１】特開平０８−１５３３４１号公報（要約）
【発明の開示】
【発明が解決しようとする課題】
【０００４】
光記録媒体によっては、コート面が光沢のある面である場合もあれば、つや消しの面である場合もある。また、インクの打ち込み量を少なくした方が良好な印刷ができるようなコート面もあれば、インクの打ち込み量を多くした方が良好な印刷ができるようなコート面もある。
【０００５】
このような種々のコート面が存在するにもかかわらず、それを考慮せずに印刷を実行すると、印刷の仕上がりが悪くなったり、最悪の場合には印刷できないことも生じ得る。
【０００６】
本発明は、上記の事情に基づきなされたもので、光記録媒体のコート面の性状に基づいて適切な印刷ができるようにする光記録媒体、印刷装置、印刷方法ならびにコンピュータに読み取り可能なコンピュータプログラムを提供することを目的とする。
【課題を解決するための手段】
【０００７】
上述の目的を達成するため、本発明は、印刷する側のコート面に適した印刷を実行するために必要なコート面情報を特定するコート面情報特定部を有する光記録媒体としている。このため、コート面情報に基づき、コート面に適した印刷を実現できる。
【０００８】
また、別の本発明は、先の発明において、光記録媒体を保持する中央のチャッキング領域にコート面情報特定部を有する光記録媒体としている。このため、コート面にコート面情報特定部を有する場合と異なり、印刷に何ら影響がない。したがって、綺麗に印刷できる。
【０００９】
また、別の本発明は、先の発明において、コート面情報特定部が１または２以上の枠の内部への着色によってコート面情報を特定する光記録媒体としている。このため、光学センサ等あるいは視認によって、枠内の着色の有無、さらには着色された枠の位置を読み取ることによって、その光記録媒体のコート面に合った印刷条件を選定できる。
【００１０】
また、別の本発明は、先の発明において、コート面情報特定部が円の径の大きさ、あるいは径の異なる円の数若しくは位置によってコート面情報を特定する光記録媒体としている。このため、光学センサ等あるいは視認によって、円の径の大きさ、あるいは径の異なる円の数若しくは位置を読み取ることによって、その光記録媒体のコート面に合った印刷条件を選定できる。また、光記録媒体をどのような向きにセットしても、セットの仕方に依存しないコート面情報特定部の読み取りが可能となる。したがって、ユーザは光記録媒体のセットに気をつける必要がない。さらに、光記録媒体の中央を中心とする同心円を１つあるいは複数描くだけで、コート面情報を特定することが可能となるので、光記録媒体にコート面情報特定部を付加するためのコストを低減できる。
【００１１】
また、別の本発明は、先の発明において、コート面情報特定部が光記録媒体を保持する中央部の周りを囲う多角形の大きさ、あるいは大きさの異なる多角形の数若しくは位置によってコート面情報を特定する光記録媒体としている。このため、光学センサ等あるいは視認によって、多角形の大きさ、あるいは大きさの異なる多角形の数若しくは位置を読み取ることによって、その光記録媒体のコート面に合った印刷条件を選定できる。特に、光記録媒体の中央を中心とする多角形を１つあるいは複数描くだけで、コート面情報を特定することが可能となるので、光記録媒体にコート面情報特定部を付加するためのコストを低減できる。
【００１２】
また、別の本発明は、先の発明において、コート面情報特定部が光記録媒体を保持する中央部の周りを囲う複数本の線の数若しくは位置によってコート面情報を特定する光記録媒体としている。このため、光学センサ等あるいは視認によって、複数本の線の数若しくは位置を読み取ることによって、その光記録媒体のコート面に合った印刷条件を選定できる。特に、光記録媒体の中央を中心として配置された複数本の線を描くだけで、コート面情報を特定することが可能となるので、光記録媒体にコート面情報特定部を付加するためのコストを低減できる。
【００１３】
また、別の本発明は、先の発明において、コート面情報として、光沢のあるコート面か否かを示す情報を含む光記録媒体としている。このため、光沢のあるコート面かあるいは光沢のないつや消し面かを判別することにより、当該コート面の光沢の有無に適した印刷が実行できる。
【００１４】
また、別の本発明は、先の発明において、コート面情報として、インクの打ち込み量を示す情報を含む光記録媒体としている。このため、インクの打ち込み量を少なくすべき低デューティな面かあるいはインクの打ち込み量を多くすべき高デューティな面かを判別し、当該コート面の性状に適した印刷が実行できる。
【００１５】
また、別の本発明は、光記録媒体における印刷する側のコート面に印刷する機能を備えた印刷装置において、光記録媒体上に設けられ、コート面に適した印刷を実行するために必要なコート面情報を特定するコート面情報特定部を読み取るコート面情報特定部読み取り手段と、コート面情報特定部の特性とコート面情報とを関連づけて記憶する記憶手段と、読み取られたコート面情報特定部の特性と記憶手段に記憶される情報とを照合して印刷条件を決定する印刷条件決定手段とを備える印刷装置としている。このため、光記録媒体上のコート面情報特定部を読み取ることによって、そのコート面に適した印刷条件にて印刷ができる。印刷条件の決定は、プリンタドライバ、アプリケーションプログラムのいずれで実行するようにしても良い。また、印刷装置は、プリンタドライバをインストールしたコンピュータに接続された印刷装置に限定されることなく、かかるコンピュータを要しないそれ自体独立した印刷装置（いわゆる、スタンドアローン式の印刷装置）であっても良い。
【００１６】
また、別の本発明は、先の発明において、インクを含めた現状の印刷ツールによって、コート面に適した印刷の可否を判断する印刷可否判断手段と、その印刷可否判断手段の判断に基づいてメッセージを出力するメッセージ出力手段とをさらに備える印刷装置としている。このため、現状の印刷条件（インクの種類、インクの吐出条件等）にて、そのコート面に適した印刷ができるか否かが判断され、その可否を使用者に知らせることができる。特に、本発明は、現状の印刷条件では良好な印刷が出来ない場合に有効である。
【００１７】
また、別の本発明は、先の発明において、コート面情報特定部読み取り手段を、インクカートリッジを搭載して主走査方向に往復移動するキャリッジに取り付けられる光学センサとした印刷装置としている。このため、コート面情報特定部が目視できない程に小さくても、正確に読み取ることができる。しかも、キャリッジに光学センサを備えているので、走査式でコート面情報特定部を読み取ることができ、光学センサを駆動させるための特別な駆動源を備える必要もない。
【００１８】
また、別の本発明は、先の発明において、記憶手段に、光学センサがコート面情報特定部を読み取る位置とコート面情報とを関連づけて記憶しており、印刷条件決定手段が、コート面情報特定部を読み取る位置に基づいて印刷条件を決定する印刷装置としている。このため、光記録媒体上に付したコート面情報特定部を読み取る位置に応じて当該情報を変えている光記憶媒体を使う場合に、光学センサが正確にコート面情報特定部を読み取る位置を特定し、その位置に基づいてコート面に合った印刷条件で印刷できる。
【００１９】
また、別の本発明は、先の発明において、記憶手段に、光学センサがコート面情報特定部を読み取る複数の位置の距離とコート面情報とを関連づけて記憶しており、印刷条件決定手段が、当該複数の位置の距離に基づいて印刷条件を決定する印刷装置としている。このため、光記録媒体上に付したコート面情報特定部を読み取る位置が複数存在し、当該複数の位置間の距離によってコート面情報を変えている光記憶媒体を使う場合に、光学センサがコート面情報特定部を読み取る複数位置間の距離を正確に検出でき、その検出した情報に基づいてコート面に合った印刷条件で印刷できる。
【００２０】
また、別の本発明は、先の発明において、記憶手段に、光学センサがコート面情報特定部を読み取る位置と複数の当該位置の距離との組み合わせと、コート面情報とを関連づけて記憶しており、印刷条件決定手段が、当該組み合わせに基づいて印刷条件を決定する印刷装置としている。このため、光記録媒体上に付したコート面情報特定部の読み取り位置が複数存在し、かつ当該位置の数と、複数の位置が存在する場合の複数位置間の距離との組み合わせによってコート面情報を変えている光記憶媒体を使う場合に、光学センサがコート面情報特定部を読み取る位置の数および複数位置間の距離を正確に検出でき、その検出した情報に基づいて、コート面に合った印刷条件で印刷できる。
【００２１】
また、別の本発明は、光記録媒体における印刷する側のコート面に印刷する印刷方法において、光記録媒体上に設けられ、コート面に適した印刷を実行するために必要なコート面情報を特定するコート面情報特定部を読み取るコート面情報特定部読み取りステップと、読み取られたコート面情報特定部の特性と、コート面情報特定部の特性とコート面情報とを関連づけて記憶する記憶手段に記憶される情報とを照合して、印刷条件を決定する印刷条件決定ステップとを含む印刷方法としている。このため、光記録媒体上のコート面情報特定部を読み取ることによって、そのコート面に適した印刷条件にて印刷ができる。印刷条件の決定は、プリンタドライバ、アプリケーションプログラムのいずれで実行するようにしても良い。また、当該印刷方法を実行するための印刷装置は、プリンタドライバをインストールしたコンピュータに接続された印刷装置に限定されることなく、かかるコンピュータを要しないそれ自体独立した印刷装置（いわゆる、スタンドアローン式の印刷装置）であっても良い。
【００２２】
また、別の本発明は、先の発明において、インクを含めた現状の印刷ツールによって、コート面に適した印刷の可否を判断する印刷可否判断ステップと、その印刷可否判断ステップによる判断に基づいて、メッセージを出力するメッセージ出力ステップとをさらに含む印刷方法としている。このため、現状の印刷条件（インクの種類、インクの吐出条件等）にて、そのコート面に適した印刷ができるか否かが判断され、その可否を使用者に知らせることができる。特に、本発明は、現状の印刷条件では良好な印刷が出来ない場合に有効である。
【００２３】
また、別の本発明は、光記録媒体における印刷する側のコート面に印刷する処理をコンピュータに実行させるコンピュータ読み取り可能な印刷用コンピュータプログラムにおいて、コンピュータを、光記録媒体上に設けられ、コート面に適した印刷を実行するために必要なコート面情報を特定するコート面情報特定部を読み取るコート面情報特定部読み取り手段、読み取られたコート面情報特定部の特性と、コート面情報特定部の特性とコート面情報とを関連づけて記憶する記憶手段に記憶される情報とを照合して、印刷条件を決定する印刷条件決定手段、として機能させるコンピュータ読み取り可能な印刷用コンピュータプログラムとしている。このため、本発明の印刷用コンピュータプログラムを印刷装置若しくは印刷装置と協働で印刷を実行するコンピュータにインストールして実行することによって、光記録媒体上のコート面情報特定部を読み取ることによって、そのコート面に適した印刷条件にて印刷ができるようになる。印刷条件の決定は、プリンタドライバ、アプリケーションプログラムのいずれで実行するようにしても良い。また、当該印刷用コンピュータプログラムを実行するためのコンピュータは、プリンタドライバをインストールしたコンピュータに限定されることなく、かかるコンピュータを要しないそれ自体独立した印刷装置（いわゆる、スタンドアローン型の印刷装置）であっても良い。
【００２４】
また、別の本発明は、先の発明において、コンピュータを、インクを含めた現状の印刷ツールによって、コート面に適した印刷の可否を判断する印刷可否判断手段、その印刷可否判断手段の判断に基づいてメッセージを出力するメッセージ出力手段、として機能させるコンピュータ読み取り可能な印刷用コンピュータプログラムとしている。このため、本発明の印刷用コンピュータプログラムを印刷装置若しくは印刷装置と協働で印刷を実行するコンピュータにインストールして実行することによって、現状の印刷条件（インクの種類、インクの吐出条件等）にて、そのコート面に適した印刷ができるか否かが判断され、その可否を使用者に知らせることができる。特に、本発明は、現状の印刷条件では良好な印刷が出来ない場合に有効である。
【発明の効果】
【００２５】
本発明によれば、光記録媒体のコート面の性状に基づいて適切な印刷ができる。
【発明を実施するための最良の形態】
【００２６】
以下、本発明の一実施の形態について、図面を参照して説明する。
【００２７】
まず、印刷装置１の概要について、図１から図４を参照しつつ説明する。図１は、インクジェットプリンタ（以下、「プリンタ」と略記する）２とコンピュータ３によって構成される印刷装置の概略構成図であり、図２は、制御回路４を中心としたプリンタ２の構成例を示すブロック図であり、また、図３は、コンピュータ３の構成例を示すブロック図であり、図４は、コンピュータ３に実装されているプログラムおよびドライバの機能について説明する図である。
【００２８】
図１に示すように、プリンタ２は、送りモータ５によってＣＤ−Ｒトレイ６を搬送する副走査送り機構と、キャリッジモータ７によってキャリッジ８を送りローラ９の軸方向に往復動させる主走査送り機構とを有している。ここで、副走査送り機構によるＣＤ−Ｒトレイ６の送り方向を副走査方向といい、主走査送り機構によるキャリッジ８の移動方向を主走査方向という。
【００２９】
また、プリンタ２は、キャリッジ８に搭載されると共に印刷ヘッド１０を備えた印刷ヘッドユニット１１と、この印刷ヘッドユニット１１を駆動してインクの吐出およびドット形成を制御するヘッド駆動機構と、これらの送りモータ５、キャリッジモータ７、印刷ヘッドユニット１１および操作パネル１２との信号の送受信を司る制御回路４とを備えている。
【００３０】
制御回路４は、コネクタ１３を介してコンピュータ３に接続されている。コンピュータ３は、プリンタ２用のドライバを搭載し、入力装置であるキーボードあるいはマウス等の操作によるユーザの指令を受け付け、また、プリンタ２における種々の情報を表示装置１４の画面表示によりに提示するユーザインターフェイスを構成している。
【００３１】
ＣＤ−Ｒトレイ６を搬送する副走査送り機構は、送りモータ５の回転を送りローラ９と用紙搬送ローラ（図示せず）とに伝達するギヤトレイン（図示せず）を備える。
【００３２】
また、キャリッジ８を往復動させる主走査送り機構は、送りローラ９の軸と並行に架設されると共にキャリッジ８を摺動可能に保持する摺動軸１５と、キャリッジモータ７との間に無端の駆動ベルト１６を張設するプーリ１７と、光記録媒体の一例であるＣＤ−Ｒ１８の印刷開始位置を読み取るための光学センサ１９とを備えている。
【００３３】
光学センサ１９は、ＣＤ−Ｒ１８に対して光を投射するための光源（例えば、ＬＥＤ（Light Emitting Diode））と、ＣＤ−Ｒ１８によって反射されてきた光を電気信号に変換するための検出部（例えば、フォトダイオード）によって構成されており、ＣＤ−Ｒ１８の位置を読み取ることにより、所望の位置に画像を印刷する。また、光学センサ１９は、後述するように、ＣＤ−Ｒ１８のコート面のコート面情報特定部を読み取るコート面情報特定部読み取り手段でもある。
【００３４】
ＣＤ−Ｒトレイ６は、ＣＤ−Ｒ１８を嵌入して係止するために円形の凹部２０が設けられており、当該凹部２０にＣＤ−Ｒ１８を嵌入することにより、ＣＤ−Ｒ１８の位置決めをすると共に、ＣＤ−Ｒ１８が送りローラ９によって搬送可能となるようにする。
【００３５】
キャリッジ８には、図１に示すように、各種インクカートリッジ２１〜２７が着脱可能に搭載されている。インクカートリッジ２１，２２，２３，２４，２５，２６，２７は、それぞれダークイエロー（ＤＹ）、ライトマゼンダ（ＬＭ）、ライトシアン（ＬＣ）、ブラック（Ｋ）、シアン（Ｃ）、マゼンタ（Ｍ）およびイエロー（Ｙ）の各インクを収納したカートリッジである。
【００３６】
印刷ヘッド１０には、インク吐出箇所としてのノズルがＣＤ−Ｒ１８の搬送方向に列状に配置され、それぞれの色のインクに対応したノズル列が形成されている。
【００３７】
また、キャリッジ８の下部に設けられ、各インクに対応づけられたノズル列には、ノズル毎に、電歪素子の１つであって応答性に優れたピエゾ素子が配置されている。ピエゾ素子は、ノズルまでインクを導くインク通路を形成する部材に接する位置に設置されている。ピエゾ素子は、電圧の印加により結晶構造が歪み、極めて高速に電気−機械エネルギの変換を行う。
【００３８】
本実施の形態では、ピエゾ素子の両端に設けられた電極間に所定時間幅の電圧を印加することにより、ピエゾ素子が電圧の印加時間だけ伸張し、インク通路の一側壁を変形させる。この結果、インク通路の体積はピエゾ素子の伸張に応じて収縮し、この収縮分に相当するインクが、インク滴となって、ノズルの先端から高速に吐出される。このインク滴がＣＤ−Ｒ１８の表面に打ち込まれることにより、ドットが形成されて印刷が行われる。インク滴の大きさは、ピエゾ素子への電圧の印加方法によって変更することができる。これにより、例えば、大、中、小の３種類の異なる大きさのドットを形成することができる。
【００３９】
図２に示すように、制御回路４は、ＣＰＵ（Central Processing Unit）４１、プログラマブルＲＯＭ（Ｐ−ＲＯＭ（Read Only Memory））４２、ＲＡＭ（Random Access Memory）４３、文字のドットマトリクスを記憶したキャラクタジェネレータ（ＣＧ（Character Generator））４４、およびＥＥＰＲＯＭ（Electronically Erasable and Programmable ROM）４５を備え、これらをバス４９で接続した算術論理演算回路として構成されている。
【００４０】
この制御回路４は、さらに、外部のモータ等とのインタフェース（Ｉ／Ｆ（Interface））であるＩ／Ｆ専用回路４６と、このＩ／Ｆ専用回路４６に接続され印刷ヘッドユニット１１を駆動してインクを吐出させるヘッド駆動回路４７と、送りモータ５およびキャリッジモータ７を駆動するモータ駆動回路４８とを備えている。Ｉ／Ｆ専用回路４６は、パラレルインタフェース回路を内蔵しており、コネクタ１３を介してコンピュータ３から供給される印刷信号ＰＳを受け取ることができる。
【００４１】
次に、コンピュータ３の構成について、図３を参照しつつ説明する。
【００４２】
図３に示すように、コンピュータ３は、ＣＰＵ５１、ＲＯＭ５２、ＲＡＭ５３、ＨＤＤ（Hard Disk Drive）５４、ビデオ回路５５、Ｉ／Ｆ５６、バス５７、表示装置１４、入力装置５８および外部記憶装置５９によって構成されている。
【００４３】
ここで、コート面情報特定部読み取り手段、印刷条件決定手段、印刷可否判断手段およびメッセージ出力手段であるＣＰＵ５１は、ＲＯＭ５２およびＨＤＤ５４に格納されているプログラムに従って各種演算処理を実行するとともに、装置の各部を制御する制御部である。
【００４４】
ＲＯＭ５２は、ＣＰＵ５１が実行する基本的なプログラムやデータを格納しているメモリである。ＲＡＭ５３は、ＣＰＵ５１が実行途中のプログラムや、演算途中のデータ等を一時的に格納するメモリである。
【００４５】
ＨＤＤ５４は、ＣＰＵ５１からの要求に応じて、記録媒体であるハードディスクに記録されているデータやプログラムを読み出すとともに、ＣＰＵ５１の演算処理の結果として発生したデータを前述したハードディスクに記録する記録装置である。ＨＤＤ５４は、この実施の形態では、コート面情報特定部の特性とコート面情報とを関連づけて記憶する記憶手段として機能する。
【００４６】
ビデオ回路５５は、ＣＰＵ５１から供給された描画命令に応じて描画処理を実行し、得られた画像データを映像信号に変換して表示装置１４に出力する回路である。Ｉ／Ｆ５６は、入力装置５８および外部記憶装置５９から出力された信号の表現形式を適宜変換するとともに、プリンタ２に対して印刷信号ＰＳを出力する回路である。
【００４７】
バス５７は、ＣＰＵ５１、ＲＯＭ５２、ＲＡＭ５３、ＨＤＤ５４、ビデオ回路５５およびＩ／Ｆ５６を相互に接続し、これらの間でデータの授受を可能とする信号線である。
【００４８】
表示装置１４は、例えば、ＬＣＤ（Liquid Crystal Display）モニタあるいはＣＲＴ（Cathode Ray Tube）モニタによって構成され、ビデオ回路５５から出力された映像信号に応じた画像を表示する装置である。入力装置５８は、例えば、キーボードやマウスによって構成されており、ユーザの操作に応じた信号を生成して、Ｉ／Ｆ５６に供給する装置である。
【００４９】
外部記憶装置５９は、例えば、ＣＤ−ＲＯＭ（Compact Disk-ROM）ドライブユニット、ＭＯ（Magneto Optic）ドライブユニット、ＦＤＤ（Flexible Disk Drive）ユニットによって構成され、ＣＤ−ＲＯＭディスク、ＭＯディスクあるいはＦＤに記録されているデータおよびプログラムを読み出してＣＰＵ５１に供給する装置である。また、ＭＯドライブユニットおよびＦＤＤユニットの場合には、外部記憶装置５９は、ＣＰＵ５１から供給されたデータを、ＭＯディスクまたはＦＤに記録する装置である。
【００５０】
図４は、コンピュータ３に実装されているプログラムおよびドライバの機能について説明する図である。なお、これらの機能は、コンピュータ３のハードウエアと、ＨＤＤ５４に記録されているソフトウエアとが協働することにより実現される。この図に示すように、コンピュータ３には、アプリケーションプログラム６１、ビデオドライバプログラム６２、およびプリンタドライバプログラム７０が実装されており、これらが所定のオペレーティングシステム（ＯＳ）の下で動作している。
【００５１】
ここで、アプリケーションプログラム６１は、例えば、画像処理プログラムであり、ディジタルカメラ等から取り込まれた画像を加工処理したり、ユーザによって描画された画像を加工処理したりした後、プリンタドライバプログラム７０およびビデオドライバプログラム６２に出力する。
【００５２】
ビデオドライバプログラム６２は、ビデオ回路５５を駆動するためのプログラムであり、例えば、アプリケーションプログラム６１から供給された画像データに対してガンマ処理やホワイトバランスの調整等を行った後、映像信号を生成して表示装置１４に供給して表示させる。
【００５３】
プリンタドライバプログラム７０は、解像度変換モジュール７１、色変換モジュール７２、色変換テーブル７３、ハーフトーンモジュール７４、ＬＵＴ（Look Up Table）７５、および印刷データ生成モジュール７６によって構成されており、アプリケーションプログラム６１によって生成された画像データに対して後述する種々の処理を施して印刷データを生成し、プリンタ２に供給する。また、プリンタドライバプログラム７０は、後述するように、画像を印刷しようとするＣＤ−Ｒ１８の種類に応じてＬＵＴ７５を更新する処理を実行する。
【００５４】
ここで、解像度変換モジュール７１は、アプリケーションプログラム６１から供給された画像データの解像度を、印刷ヘッド１０の解像度に応じて変換する処理を行う。
【００５５】
色変換モジュール７２は、Ｒ，Ｇ，Ｂ（Red, Green, Blue）表色系によって表現されている画像データを、色変換テーブル７３を参照して、Ｃ，Ｍ，Ｙ，Ｋ，ＬＣ，ＬＭ，ＤＹ（Cyan, Magenta, Yellow, Black, Light Cyan, Light Magenta, Dark Yellow）表色系の画像データに変換する処理を行う。
【００５６】
ハーフトーンモジュール７４は、ディザ処理により、Ｃ，Ｍ，Ｙ，Ｋ，ＬＣ，ＬＭ，ＤＹ表色系によって表された画像データを、ＬＵＴ７５を参照して、大、中、小の３種類のドットの組み合わせからなるビットマップデータに変換する。ＬＵＴ７５は、通常ＬＵＴと低デューティＬＵＴを有している。通常ＬＵＴは、高デューティＬＵＴを含む。
【００５７】
印刷データ生成モジュール７６は、ハーフトーンモジュール７４から出力されたビットマップデータから、各主走査時のドットの記録状態を示すラスタデータと、副走査送り量を示すデータとを含む印刷データを生成して、プリンタ２に供給する。
【００５８】
次に、本発明の光記録媒体の一例であるＣＤ−Ｒ１８の詳細な構成について説明する。
【００５９】
図５は、ＣＤ−Ｒ１８の構成例を示す図である。この図に示すように、ＣＤ−Ｒ１８は、白色等の部材が塗布されたコート面８１、図示しない記録再生装置に装着された場合に、回転軸が挿入される中心孔８２によって構成されている。なお、コート面８１は、インクの浸透を受容する受容層によって構成され、受容層の下には情報を光学的に記録するための記録層が形成されている。また、ＣＤ−Ｒ１８の中心孔８２の周囲には、透明なチャッキング領域８３が形成されている。
【００６０】
このチャッキング領域８３の点線で囲んだ部分には、Ａ、Ｂ、ＣまたはＤのいずれかの模様が描かれている。この模様は、コート面８１に適した印刷を実行するために必要なコート面情報を特定するコート面情報特定部８４である。コート面情報特定部８４は、矢印ｅ、矢印ｆおよび矢印ｇで示す３つの位置に描かれた枠８５，８５，８５から構成されている。当該枠８５内のコントラストを変えることによって、異なる模様ができる。
【００６１】
例えば、模様Ａは、矢印ｅの位置にある枠８５のみを黒く塗りつぶし、他の２つの枠８５，８５を白抜きとしたコート面情報特定部８４である。また、模様Ｂは、矢印ｆの位置にある枠８５のみを黒く塗りつぶし、他の２つの枠８５，８５を白抜きとしたコート面情報特定部８４である。また、模様Ｃは、矢印ｅと矢印ｇの両位置にある枠８５，８５を黒く塗りつぶし、他の１つの枠８５のみを白抜きとしたコート面情報特定部８４である。さらに、模様Ｄは、矢印ｆと矢印ｇの両位置にある枠８５，８５を黒く塗りつぶし、他の１つの枠８５のみを白抜きとしたコート面情報特定部８４である。後述するように、黒く塗りつぶした枠８５の位置を光学センサ１９によって読み取ることによって、コート面の性状を決定することができる。
【００６２】
図６は、図５に示すＣＤ−Ｒ１８と別の形態のＣＤ−Ｒ１８の構成を示す図である。図６に示すＣＤ−Ｒ１８のチャッキング領域８３には、Ａ、Ｂ、ＣまたはＤのいずれかの模様が描かれている。これらの模様は、チャッキング領域８３に描かれるコート面情報特定部である。これらの模様は、共に、中心孔８２と同心円のリングで構成されている。当該リングの径の大きさと数を変えることによって、異なる模様ができる。例えば、模様Ａは、中心孔８２に最も近い小径のリングＬ１である。また、模様Ｂは、リングＬ１の外側にあって、リングＬ１の次に小さいリングＬ２である。また、模様Ｃは、最も径の大きなリングＬ３とリングＬ１の２本のリングで構成されている。さらに、模様Ｄは、Ｌ２とＬ３の２本のリングで構成されている。
【００６３】
後述するように、光学センサ１９によって黒線で描かれたリングの端部を読み取ることによって、チャッキング領域８３にあるコート面情報特定部８４を特定でき、当該特定によって、コート面の性状を決定することができる。
【００６４】
図７は、図６に示すＣＤ−Ｒ１８と少し異なる形態のＣＤ−Ｒ１８の構成を示す図である。図７に示すＣＤ−Ｒ１８のチャッキング領域８３には、Ａ、Ｂ、ＣまたはＤのいずれかの模様が描かれている。これらの模様も、チャッキング領域８３に描かれるコート面情報特定部である。これらの模様は、共に、中心孔８２と同心円のリングで構成されている。当該リングの径の大きさのみを変えることによって、異なる模様ができる。例えば、模様Ａは、中心孔８２に最も近い小径のリングＬ１である。また、模様Ｂは、リングＬ１の外側にあって、リングＬ１の次に小さいリングＬ２である。また、模様Ｃは、リングＬ２のすぐ外側にあるリングＬ３である。さらに、模様Ｄは、最も大きな径のリングＬ４である。
【００６５】
後述するように、光学センサ１９によって黒線で描かれたリングの端部を読み取ることによって、チャッキング領域８３にあるコート面情報特定部８４を特定でき、当該特定によって、コート面の性状を決定することができる。
【００６６】
図６あるいは図７に示すように、中心孔８２と同心の円を描き、その大きさあるいは大きさと数によってコート面情報を特定できるようにすると、ＣＤ−Ｒトレイ６内に入れるＣＤ−Ｒ１８の向きを考慮しなくて済む。ただし、中心孔８２の周囲に描く模様は、円に限られず、多角形の模様、多角形の角部が切れた模様でも良い。
【００６７】
図８は、多角形の角部が切れた模様が描かれたＣＤ−Ｒ１８の構成例を示す図である。
【００６８】
図８に示すように、模様Ａは、中心孔８２の周囲に、中心孔８２の中心を重心とする正三角形を描き、その３つの角部を均等の大きさで切ったものであり、黒線Ｍ１で構成されるものである。模様Ｂは、模様Ａよりも中心孔８２の外側に、黒線Ｍ２を配置し、角の切れた略正三角形を構成したものである。同様に、模様Ｃは、模様Ｂよりも中心孔８２の外側に黒線Ｍ３を配置し、模様Ｄは、模様Ｃよりも中心孔８２の外側に黒線Ｍ４を配置し、それぞれ角の切れた略正三角形を構成したものである。模様Ｂ，Ｃ，Ｄは、各黒線を延長して形成される正三角形の大きさを除き、同じ条件で形成されている。これらの模様も、チャッキング領域８３に描かれるコート面情報特定部である。このように、中心孔８２の周囲に円以外の模様を描いても、当該模様を構成する黒線の位置、数あるいは読み取った位置の間の距離を特定することによって、コート面情報を特定することが可能である。以下、図９に基づいて、その理由を説明する。
【００６９】
図９は、図８に示す模様が付されたＣＤ−Ｒ１８のコート面情報を特定する機構について説明するための図である。
【００７０】
今、光学センサ１９は、ＣＤ−Ｒ１８の中心孔８２の中心を主走査方向に移動するものとする。かかる場合、ＣＤ−Ｒ１８をＣＤ−Ｒトレイ６内に入れた向きによって、大別して２種類のパターンが存在する。１つは、模様Ａにラインｓ１およびラインｓ２で示すように、光学センサ１９が２本の黒線Ｍ１を横切り、２つの位置を読み取るケースである。もう１つは、模様Ａにラインｔで示すように、光学センサ１９が１本の黒線Ｍ１しか横切らず、１つの位置しか読み取れないケースである。なお、図９の模様Ａにおいて、Ｍ１は１本の黒線に対してのみに付されているが、他の黒線もＭ１で示される。また、模様Ｂ、模様Ｃ、模様Ｄについても同様である。
【００７１】
模様Ｂ、模様Ｃおよび模様Ｄの場合も同様にそれぞれ２種類のパターンが存在し、１つは、ラインｓ３，ｓ４、ラインｓ５，ｓ６およびラインｓ７，ｓ８にそれぞれ示すように、光学センサ１９が２本の黒線Ｍ２，Ｍ３およびＭ４をそれぞれ横切り、２つの位置を読み取るケースである。もう１つは、ラインｔで示すように、光学センサ１９がそれぞれ１本の黒線Ｍ２，Ｍ３およびＭ４しか横切らず、１つの位置しか読み取れないケースである。
【００７２】
ここで、点ａ１および点ａ２は、光学センサ１９がラインｓ１の軌道で黒線Ｍ１を横切った際に、当該黒線Ｍ１を読み取る位置である。また、点ａ３および点ａ４は、光学センサ１９がラインｓ２の軌道で黒線Ｍ１を横切った際に、当該黒線Ｍ１を読み取る位置である。さらに、点ａ５は、光学センサ１９がラインｔの軌道で黒線Ｍ１を横切った際に、当該黒線Ｍ１を読み取る位置である。
【００７３】
同様に、点ｂ１および点ｂ２は、光学センサ１９がラインｓ３の軌道で黒線Ｍ２を横切った際に、当該黒線Ｍ２を読み取る位置である。また、点ｂ３および点ｂ４は、光学センサ１９がラインｓ４の軌道で黒線Ｍ２を横切った際に、当該黒線Ｍ２を読み取る位置である。さらに、点ｂ５は、光学センサ１９がラインｔの軌道で黒線Ｍ２を横切った際に、当該黒線Ｍ２を読み取る位置である。
【００７４】
また、点ｃ１および点ｃ２は、光学センサ１９がラインｓ５の軌道で黒線Ｍ３を横切った際に、当該黒線Ｍ３を読み取る位置である。また、点ｃ３および点ｃ４は、光学センサ１９がラインｓ６の軌道で黒線Ｍ３を横切った際に、当該黒線Ｍ３を読み取る位置である。さらに、点ｃ５は、光学センサ１９がラインｔの軌道で黒線Ｍ３を横切った際に、当該黒線Ｍ３を読み取る位置である。
【００７５】
同様に、点ｄ１および点ｄ２は、光学センサ１９がラインｓ７の軌道で黒線Ｍ４を横切った際に、当該黒線Ｍ４を読み取る位置である。また、点ｄ３および点ｄ４は、光学センサ１９がラインｓ８の軌道で黒線Ｍ４を横切った際に、当該黒線Ｍ４を読み取る位置である。さらに、点ｄ５は、光学センサ１９がラインｔの軌道で黒線Ｍ４を横切った際に、当該黒線Ｍ４を読み取る位置である。
【００７６】
光学センサ１９が１つの位置を読み取る場合であっても２つの位置を読み取る場合であっても、光学センサ１９が黒線を読み取る位置は変動し得る。しかし、光学センサ１９が１つの位置を読み取る場合には、光学センサ１９が初期位置から読み取り位置まで移動した距離の変動範囲を特定することができる。また、光学センサ１９が２つの位置を読み取る場合には、２つの読み取り位置の間の距離の変動範囲を特定することができる。
【００７７】
例えば、模様Ａの場合には、黒線Ｍ１との２つの読み取り位置の間の距離は、光学センサ１９が、横切らない黒線Ｍ１と平行の軌道であるラインｓ１を通った場合の距離Ｌ１から、１つの黒線Ｍ１の端部を通過するラインｓ２を通った場合の距離Ｌ２までの範囲にある。
【００７８】
また、模様Ｂの場合には、黒線Ｍ２との２つの読み取り位置の間の距離は、光学センサ１９が、横切らない黒線Ｍ２と平行の軌道であるラインｓ３を通った場合の距離Ｌ３から、１つの黒線Ｍ２の端部を通過するラインｓ４を通った場合の距離Ｌ４までの範囲にある。
【００７９】
また、模様Ｃの場合には、黒線Ｍ３との２つの読み取り位置の間の距離は、光学センサ１９が、横切らない黒線Ｍ３と平行の軌道であるラインｓ５を通った場合の距離Ｌ５から、１つの黒線Ｍ３の端部を通過するラインｓ６を通った場合の距離Ｌ６までの範囲にある。
【００８０】
また、模様Ｄの場合には、黒線Ｍ４との２つの読み取り位置の間の距離は、光学センサ１９が、横切らない黒線Ｍ４と平行の軌道であるラインｓ７を通った場合の距離Ｌ７から、１つの黒線Ｍ４の端部を通過するラインｓ８を通った場合の距離Ｌ８までの範囲にある。
【００８１】
したがって、Ｌ１＜Ｌ２＜Ｌ３＜Ｌ４＜Ｌ５＜Ｌ６＜Ｌ７＜Ｌ８となるように、Ｍ１、Ｍ２、Ｍ３およびＭ４を配置すれば、読み取り位置の間の距離を測ることによって、模様Ａ、模様Ｂ、模様Ｃあるいは模様Ｄのいずれの模様が描かれたＣＤ−Ｒ１８なのかを特定することができる。
【００８２】
次に、記憶手段に記憶されているデータベースの一例について、図１０から図１２に基づいて説明する。
【００８３】
図１０は、図５に示したＣＤ−Ｒ１８用のコート面情報と光学センサ１９の移動距離とを関連づけたデータベース９０（１０Ａ）と、模様の各種類に応じた光学センサ１９の移動距離を説明するための模式図（１０Ｂ）とを示す図である。
【００８４】
図１０Ｂに示すように、光学センサ１９は、初期位置（０で示す位置）から主走査方向に移動する。初期位置から模様Ａ〜Ｄの図１０Ｂにおける最も左側にある枠８５まで、真ん中の枠８５まで、および最も右側にある枠８５までの各距離は、それぞれｅ、ｆおよびｇである。
【００８５】
このため、模様Ａのように、図１０Ｂにおける最も左側にある枠８５のみが黒く塗りつぶされていると、光学センサ１９が当該塗りつぶされている枠８５の位置を読み取ることによって、初期位置からの移動距離ｅが特定できることになる。同様に、模様Ｂのように、図１０Ｂにおける真ん中にある枠８５のみが黒く塗りつぶされていると、光学センサ１９が当該塗りつぶされている枠８５の位置を読み取ることによって、初期位置からの移動距離ｆが特定できることになる。
【００８６】
また、模様Ｃのように、図１０Ｂにおける最も左側にある枠８５と最も右側にある枠８５が黒く塗りつぶされていると、光学センサ１９が当該塗りつぶされている２つの枠８５，８５の位置を読み取ることによって、初期位置からの移動距離ｅおよびｇが特定できることになる。同様に模様Ｄのように、図１０Ｂにおける真ん中にある枠８５と最も右側にある枠８５が黒く塗りつぶされていると、光学センサ１９が当該塗りつぶされている２つの枠８５，８５の位置を読み取ることによって、初期位置からの移動距離ｆおよびｇが特定できることになる。
【００８７】
図１０Ａに示すように、記憶手段には、上述の光学センサ１９の移動距離（コート面情報特定部８４の特性）とコート面情報とを関連づけたデータベース９０が記憶されている。具体的には、光学センサ１９の移動距離ｅとコート面情報「つや消し面−低デューティ」、光学センサ１９の移動距離ｆとコート面情報「光沢面−低デューティ」、光学センサ１９の移動距離e,ｇとコート面情報「つや消し面−高デューティ」、および光学センサ１９の移動距離f,ｇとコート面情報「光沢面−高デューティ」の４種類の関連データが記憶されている。光学センサ１９の読み取った情報に基づいて、このデータベース９０を参照することによって、ＣＤ−Ｒ１８のコート面情報を特定することができる。
【００８８】
図１１は、図６に示したＣＤ−Ｒ１８用のコート面情報と光学センサ１９の移動距離とを関連づけたデータベース９１（１１Ａ）と、模様の各種類に応じた光学センサ１９の移動距離を説明するための模式図（１１Ｂ）とを示す図である。
【００８９】
図１１Ｂに示すように、光学センサ１９は、初期位置（０で示す位置）から主走査方向に移動する。初期位置（０で示す位置）から図１１Ｂにおける最も大きなリングＬ３の左端まで、２番目に大きなリングＬ２の左端まで、最も小さなリングＬ１の左端までの各距離は、それぞれｅ、ｆおよびｇである。
【００９０】
このため、リングＬ３から構成される模様の場合、光学センサ１９が当該リングＬ１の左端位置を読み取ることによって、初期位置からの移動距離ｇを特定できることになる。同様に、リングＬ２から構成される模様の場合、光学センサ１９が当該リングＬ２の左端位置を読み取ることによって、初期位置からの移動距離ｆを特定できることになる。また、リングＬ３とリングＬ１とから構成される模様の場合、光学センサ１９が当該リングＬ３とリングＬ１の左端位置を読み取ることによって、初期位置からの移動距離ｅおよび移動距離ｇを特定できることになる。さらに、リングＬ２とリングＬ３とから構成される模様の場合、光学センサ１９が当該リングＬ２とリングＬ３の左端位置を読み取ることによって、初期位置からの移動距離ｆおよび移動距離ｅを特定できることになる。
【００９１】
図１１Ａに示すように、記憶手段には、上述の光学センサ１９の移動距離（コート面情報特定部８３の特性）とコート面情報とを関連づけたデータベース９１が記憶されている。具体的には、光学センサ１９の移動距離ｇとコート面情報「つや消し面−低デューティ」、光学センサ１９の移動距離ｆとコート面情報「光沢面−低デューティ」、光学センサ１９の移動距離ｅおよび光学センサ１９の移動距離ｇの組み合わせとコート面情報「つや消し面−高デューティ」、および光学センサ１９の移動距離ｆおよび光学センサ１９の移動距離ｅの組み合わせとコート面情報「光沢面−高デューティ」の４種類の関連データが記憶されている。光学センサ１９の読み取った情報に基づいて、このデータベース９１を参照することによって、ＣＤ−Ｒ１８のコート面情報を特定することができる。
【００９２】
図１２は、図７に示したＣＤ−Ｒ１８用のコート面情報と光学センサ１９の移動距離とを関連づけたデータベース９２（１２Ａ）と、模様の各種類に応じた光学センサ１９の移動距離を説明するための模式図（１２Ｂ）とを示す図である。
【００９３】
図１２Ｂに示すように、光学センサ１９は、初期位置（０で示す位置）から主走査方向に移動する。初期位置から図１２Ｂにおける最も大きなリングＬ４の左端まで、２番目に大きなリングＬ３の左端まで、３番目に大きなリングＬ２の左端まで、および最も小さなリングＬ１の左端までの各距離は、それぞれｅ、ｆ、ｇおよびｈである。
【００９４】
このため、リングＬ１から構成される模様の場合、光学センサ１９が当該リングＬ１の左端位置を読み取ることによって、初期位置からの移動距離ｈを特定できることになる。同様に、リングＬ２から構成される模様の場合、光学センサ１９が当該リングＬ２の左端位置を読み取ることによって、初期位置からの移動距離ｇを特定できることになる。また、リングＬ３から構成される模様の場合、光学センサ１９が当該リングＬ３の左端位置を読み取ることによって、初期位置からの移動距離ｆを特定できることになる。さらに、リングＬ４から構成される模様の場合、光学センサ１９が当該リングＬ４の左端位置を読み取ることによって、初期位置からの移動距離ｅを特定できることになる。
【００９５】
図１２Ａに示すように、記憶手段には、上述の光学センサ１９の移動距離（コート面情報特定部８３の特性）とコート面情報とを関連づけたデータベース９２が記憶されている。具体的には、光学センサ１９の移動距離ｈとコート面情報「つや消し面−低デューティ」、光学センサ１９の移動距離ｇとコート面情報「光沢面−低デューティ」、光学センサ１９の移動距離ｆとコート面情報「つや消し面−高デューティ」、および光学センサ１９の移動距離ｅとコート面情報「光沢面−高デューティ」の４種類の関連データが記憶されている。光学センサ１９の読み取った情報に基づいて、このデータベース９２を参照することによって、ＣＤ−Ｒ１８のコート面情報を特定することができる。
【００９６】
図１３は、光学センサ１９の読み取り位置が１つの場合に参照するデータベースであって、図８に示したＣＤ−Ｒ１８用のコート面情報と光学センサ１９の移動距離（コート面情報特定部８３の特性）とを関連づけたデータベース９３（１３Ａ）と、同ＣＤ−Ｒ１８用のコート面情報と読み取り位置の間の距離（コート面情報特定部８３の特性）とを関連づけたデータベース９４（１３Ｂ）とを示す図である。
【００９７】
光学センサ１９の読み取り位置が１つの場合に、光学センサ１９が初期位置から図８に示す模様Ａの黒線Ｍ１を読み取った位置までの距離、初期位置から図８に示す模様Ｂの黒線Ｍ２を読み取った位置までの距離、初期位置から図８に示す模様Ｃの黒線Ｍ３を読み取った位置までの距離、および初期位置から図８に示す模様Ｄの黒線Ｍ４を読み取った位置までの距離は、それぞれｐ、ｑ、ｒおよびｓである。
【００９８】
図１３Ａに示すように、記憶手段には、上述の光学センサ１９の移動距離（コート面情報特定部８３の特性）とコート面情報とを関連づけたデータベース９３が記憶されている。具体的には、光学センサ１９の移動距離ｐとコート面情報「つや消し面−低デューティ」、光学センサ１９の移動距離ｑとコート面情報「光沢面−低デューティ」、光学センサ１９の移動距離ｒとコート面情報「つや消し面−高デューティ」、および光学センサ１９の移動距離ｓとコート面情報「光沢面−高デューティ」の４種類の関連データが記憶されている。光学センサ１９が黒線Ｍ１，Ｍ２，Ｍ３，Ｍ４を読み取る点が１つの場合には、光学センサ１９が初期位置から読み取り位置までに移動した距離によって、コート面情報を特定できる。
【００９９】
光学センサ１９の読み取り位置が２つの場合に、光学センサ１９が初期位置から図８に示す模様Ａの黒線Ｍ１を読み取った読み取り位置の間の距離の変動範囲、初期位置から図８に示す模様Ｂの黒線Ｍ２を読み取った読み取り位置の間の距離の変動範囲、初期位置から図８に示す模様Ｃの黒線Ｍ３を読み取った読み取り位置の間の距離の変動範囲、および初期位置から図８に示す模様Ｄの黒線Ｍ４を読み取った読み取り位置の間の距離の変動範囲は、図９に基づいて説明したように、それぞれＬ１〜Ｌ２、Ｌ３〜Ｌ４、Ｌ５〜Ｌ６、およびＬ７〜Ｌ８である。
【０１００】
図１３Ｂに示すように、記憶手段には、上述の光学センサ１９の読み取り位置の間の距離の変動範囲（コート面情報特定部８３の特性）とコート面情報とを関連づけたデータベース９４が記憶されている。具体的には、読み取り位置の間の距離の変動範囲Ｌ１〜Ｌ２とコート面情報「つや消し面−低デューティ」、読み取り位置の間の距離の変動範囲Ｌ３〜Ｌ４とコート面情報「光沢面−低デューティ」、読み取り位置の間の距離の変動範囲Ｌ５〜Ｌ６とコート面情報「つや消し面−高デューティ」、および読み取り位置の間の距離の変動範囲Ｌ７〜Ｌ８とコート面情報「光沢面−高デューティ」の４種類の関連データが記憶されている。光学センサ１９が黒線Ｍ１，Ｍ２，Ｍ３，Ｍ４（以後、総称する場合には、「黒線Ｍ」とする。）を読み取る点が２つの場合には、光学センサ１９の読み取り位置の間の距離によって、コート面情報を特定できる。
【０１０１】
なお、光学センサ１９が黒線Ｍを読み取る点が１つの場合にも、光学センサ１９の移動距離は変動する。これは、読み取らない２つの黒線Ｍ同士の隙間が存在するために、光学センサ１９の通過ルートがある角度範囲で変動するからである。したがって、光学センサ１９の移動距離は、正確にｐ、ｑ、ｒまたはｓにならないことがある。かかる場合には、実測の移動距離に最も近い移動距離と関連づけられているコート面情報が選出される。また、図１３Ａに示すデータベース９３において、光学センサ１９の移動距離を、図１３Ｂに示すデータベース９４のように、その変動し得る範囲で示すようにしても良い。ただし、変動し得る範囲が互いに重複すると、コート面情報を特定できなくなる可能性があるので、変動し得る範囲が重複しないように、黒線Ｍの描画パターンを決定する必要がある。
【０１０２】
次に、ＣＤ−Ｒ１８上のコート面情報特定部８４の読み取りから印刷までの処理の流れについて、図１４のフローチャートに基づいて説明する。
【０１０３】
ＣＤ−Ｒ１８に画像を印刷する場合、ユーザは、コンピュータ３の入力装置５８を操作して、アプリケーションプログラム６１を起動させる。その結果、コンピュータ３では、ＣＰＵ５１がＨＤＤ５４に格納されているアプリケーションプログラム６１を起動させる。
【０１０４】
ユーザがＣＤ−Ｒ１８をセットすると、光学センサ１９が初期位置から主走査方向に移動する（ステップＳ１０１）。光学センサ１９は、ＣＤ−Ｒ１８表面上ののコート面情報特定部８４の上方を移動しながら、光反射率の変化が大きい位置を読み取る。すると、ＣＰＵ５１は、その位置をＨＤＤ５４あるいはＲＡＭ５３に記憶する（ステップＳ１０２）。次に、ＣＰＵ５１は、記憶した位置及び／またはその数について、予め記憶されているデータベースと照合し（ステップＳ１０３）、当該ＣＤ−Ｒ１８のコート面情報を特定する（ステップＳ１０４）。次に、ＣＰＵ５１は、その特定されたコート面情報に基づいて、印刷条件を決定する（ステップＳ１０５）。
【０１０５】
次に、ＣＰＵ５１は、現状の印刷ツールを用いて、決定された印刷条件に基づく良好な印刷ができるか否かを判断する（ステップＳ１０６）。その結果、良好な印刷ができないと判断された場合には、ビデオ回路５５をしてその旨のメッセージを出力させる（ステップＳ１０７）。一方、良好な印刷ができると判断された場合には、印刷条件に基づく設定にて印刷を行う（ステップＳ１０８）。かかる一連のステップをもって、ＣＤ−Ｒ１８上のコート面情報特定部８３，８４の読み取りから印刷までの処理は終了する。なお、ステップＳ１０６からステップＳ１０８の処理を行わないようにしても良い。
【０１０６】
以上、本発明の一実施の形態について説明したが、本発明はこれ以外にも種々変形可能である。例えば、上記の実施の形態では、ＣＤ−Ｒ１８を例に挙げて説明したが、これ以外の光記録媒体、例えば、ＤＶＤ（Digital Versatile Disk）やＭＯ等についても本発明を適用可能であることはいうまでもない。また、光記録媒体以外のディスク状の記録媒体に本発明を適用することができる。
【０１０７】
また、上記の実施の形態では、円形形状を有するＣＤ−Ｒ１８を例に挙げて説明したが、これ以外の形状を有する光記録媒体についても本発明を適用することが可能である。例えば、名刺サイズの略四角形状を有する光記録媒体（例えば、ＣＤ−Ｒ）に対しても本発明を適用することができる。
【０１０８】
また、上記の実施の形態では、通常ＬＵＴと低デューティＬＵＴの２種類を準備するようにしたが、３種類以上のＬＵＴを準備し、これらを適宜選択して用いることも可能である。
【０１０９】
また、上記の実施の形態では、コート面情報特定部をチャッキング領域８３に設けているが、そのチャッキング領域８３の外側にあるコート面に設けても良い。また、コート面情報特定部８４内の枠８５は、長方形以外の形状、例えば、楕円あるいは円でも良い。さらに、枠８５を複数設けずに、１個のみを設け、当該１個の枠８５に着色されているか否かに応じてコート面情報を特定できるようにしても良い。さらに、着色は、黒以外の色、例えば、灰色、青、赤としても良い。
【０１１０】
また、コート面情報は、ＣＤ−Ｒ１８等の光記録媒体のコート面の性状に適した印刷を行うための情報であれば、光沢の有無、インクの打ち込む量の多寡に限定されない。
【０１１１】
また、図１４に示すフローチャートにおいて、ステップＳ１０７の後、ユーザの印刷指示の有無を判別するステップ（ステップＳ１０９）を経て、当該印刷指示がある場合にはステップＳ１０８に移行し、当該印刷指示がない場合には、ステップＳ１０９に戻り、印刷待機状態となるようにしても良い。
【０１１２】
また、コート面情報特定部読み取り手段は、光学センサ１９以外のセンサ、例えば、磁気センサであっても良い。その場合には、コート面情報特定部８４に、磁気センサにて読み取り可能な磁性粉を付着すると良い。また、光学センサ１９として、反射型のセンサ以外に、透過型のセンサも適用できる。
【０１１３】
また、上記の実施の形態では、Ｃ，Ｍ，Ｙ，Ｋ，ＬＣ，ＬＭ，ＤＹのインクを用いる場合を例に挙げて説明したが、これ以外のインクの組み合わせであっても本発明を適用可能であることはいうまでもない。
【０１１４】
また、上記の実施の形態は、ピエゾ素子を用いてインクを吐出するヘッドを備えたプリンタ２のみならず、インク通路に配置したヒータに通電し、インク通路内に発生する気泡（バブル）によりインクを吐出するタイプの吐出駆動素子を備えたプリンタに適用することも可能である。
【０１１５】
さらに、以上の実施の形態では、ＨＤＤ５４（または、外部記憶装置５９）にプログラムを格納しておき、このプログラムからの指令に応じてプリンタ２が各種の処理を実行するようにしたが、プリンタ２のＰ−ＲＯＭ４２に同等の機能を有するプログラムを格納しておき、操作パネル１２が所定の手順で操作された場合に、このアプリケーションを起動し、本発明の機能を実行することも可能である。コンピュータ３またはプリンタ２のいずれかにアプリケーションプログラムを格納しておき、ＣＤ−Ｒ１８に印刷する際には、これらのアプリケーションプログラムをコンピュータ３またはプリンタ２のいずれかで起動して実行すればよい。
【０１１６】
また、上記の印刷処理機能は、コンピュータのみによっても実現することができる。その場合、印刷装置が有すべき機能の処理内容を記述したプログラムがコンピュータに提供される。そのプログラムをコンピュータで実行することにより、上記印刷処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ（Random Access Memory）、ＣＤ−ＲＯＭ、ＣＤ−Ｒ（Recordable）／ＲＷ（ReWritable）などがある。光磁気記録媒体には、ＭＯなどがある。
【０１１７】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１１８】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【産業上の利用可能性】
【０１１９】
本発明は、例えば、家庭用の印刷装置に利用できる。
【図面の簡単な説明】
【０１２０】
【図１】本実施の形態のプリンタおよび印刷装置の概略構成を示す図である。
【図２】図１に示すプリンタの構成例を示すブロック図である。
【図３】図１に示すコンピュータの構成例を示すブロック図である。
【図４】図３に示すコンピュータに実装されているプログラムおよびドライバの機能について説明する図である。
【図５】図１に示す光記録媒体の一例であるＣＤ−Ｒの構成例を示す図である。
【図６】図１に示す光記録媒体の一例であるＣＤ−Ｒであって、図５に示すＣＤ−Ｒとは異なる形態のＣＤ−Ｒの構成例を示す図である。
【図７】図１に示す光記録媒体の一例であるＣＤ−Ｒであって、図６に示すＣＤ−Ｒとは異なる形態のＣＤ−Ｒの構成例を示す図である。
【図８】図１に示す光記録媒体の一例であるＣＤ−Ｒであって、図７に示すＣＤ−Ｒとは異なる形態のＣＤ−Ｒの構成例を示す図である。
【図９】図８に示すＣＤ−Ｒのコート面情報を特定する機構について説明するための図である。
【図１０】図５に示すＣＤ−Ｒ用のコート面情報と光学センサの移動距離とを関連づけたデータベース（１０Ａ）と、模様の各種類に応じた光学センサの移動距離を説明するための模式図（１０Ｂ）とを示す図である。
【図１１】図６に示すＣＤ−Ｒ用のコート面情報と光学センサの移動距離とを関連づけたデータベース（１１Ａ）と、模様の各種類に応じた光学センサの移動距離を説明するための模式図（１１Ｂ）とを示す図である。
【図１２】図７に示すＣＤ−Ｒ用のコート面情報と光学センサの移動距離とを関連づけたデータベース（１２Ａ）と、模様の各種類に応じた光学センサの移動距離を説明するための模式図（１２Ｂ）とを示す図である。
【図１３】光学センサの読み取り位置が１つの場合に参照するデータベースであって、図８に示すＣＤ−Ｒ用のコート面情報と光学センサの移動距離（コート面情報特定部の特性）とを関連づけたデータベース（１３Ａ）と、同ＣＤ−Ｒ用のコート面情報と読み取り位置の間の距離（コート面情報特定部の特性）とを関連づけたデータベース（１３Ｂ）とを示す図である。
【図１４】図１に示す印刷装置が行う、ＣＤ−Ｒ上のコート面情報特定部の読み取りから印刷までの処理の流れを示すフローチャートである。
【符号の説明】
【０１２１】
１  印刷装置
２  プリンタ
３  コンピュータ
８  キャリッジ
１８  ＣＤ−Ｒ（光記録媒体）
１９  光学センサ（コート面情報特定部読み取り手段）
２１  インクカートリッジ
２２  インクカートリッジ
２３  インクカートリッジ
２４  インクカートリッジ
２５  インクカートリッジ
２６  インクカートリッジ
２７  インクカートリッジ
５１  ＣＰＵ（コート面情報特定部読み取り手段、印刷条件決定手段、印刷可否判断手段、メッセージ出力手段）
５４  ＨＤＤ（記憶手段）
８１  コート面
８３  チャッキング領域
８４  コート面情報特定部
８５  枠
【図１】
2005235329.tif 000003
【図２】
2005235329.tif 000004
【図３】
2005235329.tif 000005
【図４】
2005235329.tif 000006
【図５】
2005235329.tif 000007
【図６】
2005235329.tif 000008
【図７】
2005235329.tif 000009
【図８】
2005235329.tif 000010
【図９】
2005235329.tif 000011
【図１０】
2005235329.tif 000012
【図１１】
2005235329.tif 000013
【図１２】
2005235329.tif 000014
【図１３】
2005235329.tif 000015
【図１４】
2005235329.tif 000016